(57)【特許請求の範囲】
【請求項１】
画像ファイルを読み出す読み出し手段と、
前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報を１枚ずつ前記画面に再生表示する表示手段と、
前記画面に再生表示される画像情報を１枚ずつ第一の順に切り換えるために手動により操作される第一の駒送り手段と、
手動により操作される第一の変更手段と、
前記第一の駒送り手段の操作に応じて、前記単独の画像情報および前記グループの画像ファイルに含まれる１枚の画像に対応する画像情報を１枚ずつ第一の順に前記画面に再生表示させるとともに、同一グループの画像ファイルに含まれる１枚の画像に対応する画像情報については、他の単独の画像情報と混ざらないように前記第一の駒送り手段の操作に応じて１枚ずつ第一の順に再生表示させるとともに、前記グループの画像ファイルに含まれる１枚の画像に対応する画像情報を再生表示している状態において前記第一の変更手段が操作された場合に、前記再生表示されている画像情報と同一グループの画像情報の再生表示をスキップして第一の順の次の１枚の画像に対応する画像情報を前記画面に再生表示させる制御手段と、
を備えることを特徴とする画像再生装置。
【請求項２】
請求項１に記載の画像再生装置において、
さらに、
前記画面に再生表示される１枚の画像に対応する画像情報を前記第一の順とは反対の第二の順に１枚ずつ切り換えるために手動により操作される第二の駒送り手段と、
手動により操作される第二の変更手段と、
を備え、
前記制御手段は、同一グループの画像ファイルに含まれる１枚の画像に対応する画像情報を再生表示している状態において前記第二の変更手段が操作された場合に、前記再生表示されている前記画像情報と同一グループの画像情報の再生表示をスキップして前記第二の順の次の１枚の画像に対応する画像情報を前記画面に再生表示させる
ことを特徴とする画像再生装置。
【請求項３】
請求項１または２に記載の画像再生装置において、
前記第一の順は、前記画像情報が撮影された撮影時刻に対応する順であり、
前記制御手段は、前記第一の駒送り手段の操作に応じて他の機器から受信した画像情報を再生する場合に、前記受信した画像情報の撮影時刻が同一グループの最初の１枚に対応する画像情報の撮影時刻と最後の１枚に対応する画像情報の撮影時刻との間となるときには、前記受信した画像情報を前記同一グループの画像情報の直前または直後の順となるように制御することを特徴とする画像再生装置。
【請求項４】
画像ファイルを読み出す読み出し手段と、
前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを前記画面に再生表示する表示手段と、
前記単独の画像情報と、前記グループを代表する１枚の画像に対応する代表画像情報とを前記画面に再生表示させる第一の再生モードと、前記グループのファイルに含まれる１枚の画像に対応する画像情報を前記画面に再生表示させる第二の再生モードとを切り換える制御手段と、
前記画面に再生表示される１枚の画像に対応する画像情報を１枚ずつ第一の順に切り換えるために手動により操作される第一の駒送り手段と、
前記第一の再生モードから前記第二の再生モードに切り換えるために手動により操作される変更手段とを備え、
前記制御手段は、前記第一の再生モードにおいて前記第一の駒送り手段の操作に応じて前記単独の画像情報と前記代表画像情報とを１枚ずつ前記第一の順に切り換えて前記画面に表示させるとともに、前記第一の再生モードにおいて１枚の画像に対応する前記代表画像情報が再生表示されている状態で前記変更手段が操作された場合に、前記第一の再生モードから前記第二の再生モードに変更し、前記第一の駒送り手段の操作に応じて前記代表画像情報のグループの１枚の画像に対応する画像情報を１枚ずつ第一の順に切り換えて前記画面に再生表示させることを特徴とする画像再生装置。
【請求項５】
請求項４に記載の画像再生装置において、
さらに、
前記グループは、露出ブラケット撮影により得られた画像のグループである場合に、前記グループの代表画像情報として適正露出と判定した前記グループのファイルに含まれる１枚の画像に対応する画像情報を設定する設定手段を
備えることを特徴とする画像再生装。
【請求項６】
画像ファイルを読み出す読み出し手段と、
前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを前記画面に再生表示する表示手段と、
前記画面に再生表示される１枚の画像に対応する画像情報を１枚ずつ第一の順に切り換えるために手動により操作される駒送り手段と、
前記単独の画像情報と、グループを示すサムネイル画像情報を前記画面に再生表示させる第一の再生モードと、前記グループのファイルに含まれる１枚の画像に対応する画像情報を前記画面に再生表示させる第二の再生モードとを切り換える制御手段と、
前記第一の再生モードから前記第二の再生モードに切り換えるために手動により操作される変更手段とを備え、
前記制御手段は、前記第一の再生モードにおいて前記第一の駒送り手段の操作に応じて、前記単独の画像情報と前記サムネイル画像情報とを１枚ずつ第一の順に切り換えて前記画面に表示させるとともに、前記第一の再生モードにおいて前記サムネイル画像情報が再生表示されている状態で前記変更手段が操作された場合に、前記第一の再生モードから前記第二の再生モードに変更し、前記第一の駒送り手段の操作に応じて前記サムネイル画像情報のグループの１枚の画像に対応する画像情報を１枚ずつ第一の順に切り換えて前記画面に再生表示させることを特徴とする画像再生装置。
【請求項７】
請求項４〜６のいずれか１項に記載の画像再生装置において、
さらに、
前記画面に再生表示される１枚の画像に対応する画像情報を前記第一の順とは反対の第二の順に１枚ずつ切り換えるために手動により操作される第二の駒送り手段を
備えることを特徴とする画像再生装置。
【請求項８】
請求項１〜７のいずれか１項に記載の画像再生装置において、
前記第一の駒送り手段と前記第一の変更手段の機能は、同一操作部材の異なる操作形態により達成されることを特徴とする画像再生装置。
【請求項９】
第一の駒送り操作に応じて、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを１枚ずつ第一の順に画面に再生表示させるとともに、同一のグループの画像ファイルに含まれる１枚の画像に対応する画像情報については、前記単独の画像情報と混ざらないように前記第一の駒送り操作に応じて連続して１枚ずつ第一の順に再生表示させる第一の再生工程と、
前記グループの画像ファイルに含まれる１枚の画像に対応する画像情報を再生表示している状態において、第一の変更操作がなされたことに応じて前記再生表示されている前記画像情報と同一グループの画像情報の再生表示をスキップして第一の順の次の１枚の画像情報を前記画面に再生表示させるスキップ工程と、
からなることを特徴とする画像再生方法。
【請求項１０】
請求項９に記載の画像再生方法において、
前記第一の再生工程において、第二の駒送り操作に応じて前記画面に再生表示される１枚の画像に対応する画像情報を前記第一の順とは反対の第二の順に１枚ずつ切り換え、
前記スキップ工程において、前記グループの画像ファイルに含まれる１枚の画像情報を再生表示している状態において、第二の変更操作がなされた場合に、前記再生表示されている前記画像情報と同一グループの画像情報の再生表示をスキップして前記第一の順とは反対の前記第二の順の次の１枚の画像に対応する画像情報を前記画面に再生表示させることを特徴とする画像再生装置。
【請求項１１】
他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを画面に再生表示する画像再生方法であって、
前記単独の画像情報と前記グループを代表する１枚の画像に対応する代表画像情報とを第一の駒送り操作に応じて画面に１枚ずつ第一の順に切り換えて再生表示させる第一の再生工程と、
前記第一の駒送り手段の操作に応じて前記代表画像情報のグループの画像ファイルに含まれる１枚の画像に対応する画像情報を前記第一の駒送り操作に応じて１枚ずつ前記第一の順に切り換えて前記画面に再生表示させる第二の再生工程と、
前記第一の再生工程で前記代表画像情報が画面に再生表示されている状態において、変更操作に応じて前記第一の再生工程から前記第二の再生工程に移行する移行工程と
からなることを特徴とする画像再生方法。
【請求項１２】
他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを画面に再生表示する画像再生方法であって、
前記単独の画像情報と前記グループを示すサムネイル画像情報とを第一の駒送り操作に応じて画面に１枚ずつ第一の順に切り換えて再生表示させる第一の再生工程と、
前記第一の駒送り手段の操作に応じて前記サムネイル画像情報のグループの画像ファイルに含まれる１枚の画像に対応する画像情報を前記第一の駒送り操作に応じて１枚ずつ第一の順に切り換えて前記画面に再生表示させる第二の再生工程と、
前記第一の再生工程で前記サムネイル画像情報が再生表示されている状態において、変更操作に応じて前記第一の再生工程から前記第二の再生工程に移行する移行工程とからなることを特徴とする画像再生方法。
【請求項１３】
請求項１１または１２に記載の画像再生装置において、
第一の再生工程および第二の再生工程において、第二の駒送り操作により、前記画面に再生表示される１枚の画像に対応する画像情報を前記第一の順とは反対の第二の順に１枚ずつ切り換えることを特徴とする画像再生方法。
【発明の詳細な説明】
【０００１】
【発明の属する技術分野】
本発明は、電子画像を再生する画像再生装置及び画像再生方法に関し、特に単独の電子画像と一連の電子画像の両方を再生する画像再生装置及び画像再生方法に関するものである。
【０００２】
【従来の技術】
近年、ＣＣＤなどの撮像素子を用いて被写体像を撮影し、その撮影によって得られた電子画像データをメモリカードなどの記録媒体に記録することができる電子カメラが種々開発されている。この種の電子カメラには通常の撮影モード（１回の撮影につき１つの画像を撮影するモード）の他に、所定の駒速で一連の複数画像を撮影する連写モードや撮影条件を変更しながら一連の複数画像を撮影するブラケット撮影モードを備えるものもある。
【０００３】
また撮影した画像を電子カメラから通信回線により外部の画像データベース、パソコン、ＰＤＡ（Personal Digital Assistant）等の携帯電子機器に送信して記録することも知られている。
記録された電子画像は、液晶画面等の表示手段を備えた電子カメラ、パソコン、ＰＤＡ等の画像再生装置により順次再生し、鑑賞することができる。
【０００４】
【発明が解決しようとする課題】
しかしながら、これらの画像再生装置においては、記録された画像を再生する際に、図３５に示すように通常の単写モードで撮影された画像（Ｐ１、Ｐ２、Ｐ３、Ｐ９、Ｐ１０、Ｐ１１）と連写モードやブラケット撮影モードにより撮影された一連の画像（Ｐ４、Ｐ５、Ｐ６、Ｐ７、Ｐ８）とをいっしょにして順次再生しているため、一連の画像の数が多い場合には、所望の画像にたどり着くまでに多くの操作（駒送り操作）や時間を必要としていた。なお図３５において矢印が再生画面の駒送り操作を示している。
【０００５】
また個々の画像を順次再生・駒送りする手間を省くために、画像を表示画面サイズより小さなサイズのサムネイル画像に縮小し、複数のサムネイル画像を１つの表示画面に同時表示し、その中から所望の画像を選択して通常サイズで再生表示するという手法も知られているが、このような場合においても、一連の画像の数が多い場合にはサムネイル画面をめくるために多くのスクロールの操作が必要となるという問題点があった。
【０００６】
そこで本発明は、通常の撮影モードで撮影された画像と連写モードやブラケット撮影モードにより撮影された一連の画像とが混在して記憶されている中から、簡単な操作で所望の画像を効率よく再生することができる画像再生装置または画像再生方法を提供することを目的とする。
【０００７】
【課題を解決するための手段】
上記目的を達成するため、請求項１に記載の発明による画像再生装置は、画像ファイルを読み出す読み出し手段と、前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報を１枚ずつ前記画面に再生表示する表示手段と、前記画面に再生表示される画像情報を１枚ずつ第一の順に切り換えるために手動により操作される第一の駒送り手段と、手動により操作される第一の変更手段と、前記第一の駒送り手段の操作に応じて、前記単独の画像情報および前記グループの画像ファイルに含まれる１枚の画像に対応する画像情報を１枚ずつ第一の順に前記画面に再生表示させるとともに、同一グループの画像ファイルに含まれる１枚の画像に対応する画像情報については、他の単独の画像情報と混ざらないように前記第一の駒送り手段の操作に応じて１枚ずつ第一の順に再生表示させるとともに、前記グループの画像ファイルに含まれる１枚の画像に対応する画像情報を再生表示している状態において前記第一の変更手段が操作された場合に、前記再生表示されている画像情報と同一グループの画像情報の再生表示をスキップして第一の順の次の１枚の画像に対応する画像情報を前記画面に再生表示させる制御手段と、を備えることを特徴とする。
【０００８】
請求項４に記載の発明による画像再生装置は、画像ファイルを読み出す読み出し手段と、前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを前記画面に再生表示する表示手段と、前記単独の画像情報と、前記グループを代表する１枚の画像に対応する代表画像情報とを前記画面に再生表示させる第一の再生モードと、前記グループのファイルに含まれる１枚の画像に対応する画像情報を前記画面に再生表示させる第二の再生モードとを切り換える制御手段と、前記画面に再生表示される１枚の画像に対応する画像情報を１枚ずつ第一の順に切り換えるために手動により操作される第一の駒送り手段と、前記第一の再生モードから前記第二の再生モードに切り換えるために手動により操作される変更手段とを備え、前記制御手段は、前記第一の再生モードにおいて前記第一の駒送り手段の操作に応じて前記単独の画像情報と前記代表画像情報とを１枚ずつ前記第一の順に切り換えて前記画面に表示させるとともに、前記第一の再生モードにおいて１枚の画像に対応する前記代表画像情報が再生表示されている状態で前記変更手段が操作された場合に、前記第一の再生モードから前記第二の再生モードに変更し、前記第一の駒送り手段の操作に応じて前記代表画像情報のグループの１枚の画像に対応する画像情報を１枚ずつ第一の順に切り換えて前記画面に再生表示させることを特徴とする。
【０００９】
請求項６に記載の発明による画像再生装置は、画像ファイルを読み出す読み出し手段と、前記読み出し手段により読み出された画像ファイルに含まれる１枚の画像に対応する画像情報を再生表示するための画面を備え、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを前記画面に再生表示する表示手段と、前記画面に再生表示される１枚の画像に対応する画像情報を１枚ずつ第一の順に切り換えるために手動により操作される駒送り手段と、前記単独の画像情報と、グループを示すサムネイル画像情報を前記画面に再生表示させる第一の再生モードと、前記グループのファイルに含まれる１枚の画像に対応する画像情報を前記画面に再生表示させる第二の再生モードとを切り換える制御手段と、前記第一の再生モードから前記第二の再生モードに切り換えるために手動により操作される変更手段とを備え、前記制御手段は、前記第一の再生モードにおいて前記第一の駒送り手段の操作に応じて、前記単独の画像情報と前記サムネイル画像情報とを１枚ずつ第一の順に切り換えて前記画面に表示させるとともに、前記第一の再生モードにおいて前記サムネイル画像情報が再生表示されている状態で前記変更手段が操作された場合に、前記第一の再生モードから前記第二の再生モードに変更し、前記第一の駒送り手段の操作に応じて前記サムネイル画像情報のグループの１枚の画像に対応する画像情報を１枚ずつ第一の順に切り換えて前記画面に再生表示させることを特徴とする。
【００１０】
請求項９に記載の発明による画像再生方法は、第一の駒送り操作に応じて、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを１枚ずつ第一の順に画面に再生表示させるとともに、同一のグループの画像ファイルに含まれる１枚の画像に対応する画像情報については、前記単独の画像情報と混ざらないように前記第一の駒送り操作に応じて連続して１枚ずつ第一の順に再生表示させる第一の再生工程と、前記グループの画像ファイルに含まれる１枚の画像に対応する画像情報を再生表示している状態において、第一の変更操作がなされたことに応じて前記再生表示されている前記画像情報と同一グループの画像情報の再生表示をスキップして第一の順の次の１枚の画像情報を前記画面に再生表示させるスキップ工程と、からなることを特徴とする。
【００１１】
請求項１１に記載の発明による画像再生方法は、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを画面に再生表示する画像再生方法であって、前記単独の画像情報と前記グループを代表する１枚の画像に対応する代表画像情報とを第一の駒送り操作に応じて画面に１枚ずつ第一の順に切り換えて再生表示させる第一の再生工程と、前記第一の駒送り手段の操作に応じて前記代表画像情報のグループの画像ファイルに含まれる１枚の画像に対応する画像情報を前記第一の駒送り操作に応じて１枚ずつ前記第一の順に切り換えて前記画面に再生表示させる第二の再生工程と、前記第一の再生工程で前記代表画像情報が画面に再生表示されている状態において、変更操作に応じて前記第一の再生工程から前記第二の再生工程に移行する移行工程と、からなることを特徴とする。
【００１２】
請求項１２に記載の発明による画像再生方法は、他の画像ファイルとの関連性を持たない画像ファイルに含まれる１枚の画像に対応する単独の画像情報と、他の画像ファイルと同じグループの画像ファイルに含まれる、前記他の画像ファイルが含む１枚の画像に対応する画像情報と関連性を持つ１枚の画像に対応する画像情報とを画面に再生表示する画像再生方法であって、前記単独の画像情報と前記グループを示すサムネイル画像情報とを第一の駒送り操作に応じて画面に１枚ずつ第一の順に切り換えて再生表示させる第一の再生工程と、前記第一の駒送り手段の操作に応じて前記サムネイル画像情報のグループの画像ファイルに含まれる１枚の画像に対応する画像情報を前記第一の駒送り操作に応じて１枚ずつ第一の順に切り換えて前記画面に再生表示させる第二の再生工程と、前記第一の再生工程で前記サムネイル画像情報が再生表示されている状態において、変更操作に応じて前記第一の再生工程から前記第二の再生工程に移行する移行工程とからなることを特徴とする。
【００１５】
【発明の実施の形態】
以下、図面を参照して本発明の実施形態について説明する。図１は本発明を適用した電子カメラと該電子カメラを利用した電子画像通信システムの概念図である。図１において、電子カメラ１００はメモリカードを備え、撮影した電子画像データまたはデジタル画像データ（以下画像データと呼ぶ）をメモリカードに保存する。また電子カメラ１００は無線通信機能を備え、無線携帯電話回線１１０により無線基地局１２０と交信する。無線基地局１２０は有線または無線の一般公衆電話回線またはインターネット１３０により個人使用のパソコン１４０、画像データベース１５０に接続され、無線基地局１６０を介し画像表示画面を備えたＰＤＡ１７０に接続している。
【００１６】
このような構成において、電子カメラ１００により撮影された画像データは、電子カメラ１００自身に記憶され、再生して鑑賞される。また電子カメラ１００で撮影された画像データは、無線携帯電話回線１１０、無線基地局１２０、一般公衆電話回線またはインターネット１３０を経由し、パソコン１４０、画像データベース１５０に送信・保存され、パソコン１４０の画面にて再生される。画像データベース１５０に記憶された画像データは、無線基地局１６０を経由し、ＰＤＡ１７０に読み出され、再生表示される。また逆にパソコン１４０、画像データベース１５０に保存された画像データは、一般公衆電話回線またはインターネット１３０、無線基地局１２０、１６０、無線携帯電話回線１１０を経由して、電子カメラ１００に受信され保存され、再生表示される。
【００１７】
図２、図３は、図１に示した電子カメラ１００の一実施形態の外観図（正面視および背面視）である。図２に示すように電子カメラ１００の前面には被写体像を形成するための撮影レンズ１０、撮影画面を確認するためのファインダ１１、撮影時に被写体を照明するためのストロボ１２、被写体の明るさを検知するための測光回路１３が備えられ、上面には撮影開始を指示するためのレリーズボタン１６、電子カメラ１００の電源のＯＮ／ＯＦＦ制御を行うための電源スイッチ１７（モーメンタリーなスイッチであり、操作毎にＯＮとＯＦＦが切り替わる）が備えられる。
【００１８】
図３に示すように、電子カメラ１００の背面にはファインダ１１の接眼部、電子カメラ１００の単写モード／連写モードを選択するために回転可能なモードダイヤル１９（レリーズボタン１６を全押しているあいだ連続撮影を行う連写モードとレリーズボタン１６の全押し操作１回につき撮影を１回だけ行う単写モードがある）とモードダイヤル１９の設定位置を指示するためのドット２０、テキストおよび画像表示用の略四角形の画面を備えた左ＬＣＤ（左画面）２１とテキスト表示用の略四角形の画面を備えた右ＬＣＤ（右画面）２２が配置され、左ＬＣＤ２１の左側近傍には左画面２１に表示される画像を切り換えるための上方向ボタン２３と下方向ボタン２４、右ＬＣＤ２２と左ＬＣＤ２１の下側には画像データの再生表示を制御するための詳細ボタン２５（再生画像をスキップするためのスキップボタンとしても使用）、画像データの外部への送信を指示するための送信ボタン２６、画像データの再生表示を制御するための戻りボタン２７（再生画像をスキップするためのスキップボタンとしても使用）、メモリカード１０４に保存されている画像データおよびその関連情報を左画面２１と右画面２２に再生表示する再生モードと撮影を行うためにＣＣＤ５５で現在撮像されている画像データおよびその関連情報をリアルタイムに左画面２１と右画面２２に表示する撮影モードを選択するための撮影／再生ボタン２８（操作毎に撮影モードと再生モードが切り替わる）が配置されている。側面にはメモリカード１０４を装着するためのメモリカードスロット３０が備えられる。
【００１９】
なおレリーズボタン１６、モードダイヤル１９、上方向ボタン２３、下方向ボタン２４、詳細ボタン２５、送信ボタン２６、戻りボタン２５、撮影／再生ボタン２８は全てユーザーによって操作される操作キーである。
なお左ＬＣＤ２１および右ＬＣＤ２２の表面上には、指の接触操作により指示された位置に対応する位置データを出力する機能を備えた、いわゆるタッチタブレット６６が配置され、画面上にサムネイル表示された画像データの選択に用いられる。このタッチタブレット６６はガラス樹脂等の透明材料によって構成され、ユーザーはタッチタブレット６６の内側に形成される画像やテキストを、タッチタブレット６６を通して観察することができる。
【００２０】
図４は、図２および図３に示した電子カメラ１００の内部の電気構成例を示すブロック図であって、各構成要素は各種情報データおよび制御データを伝送するためのデータ／制御バス５１を介して互いに接続されている。
各構成要素は大きく以下の５つのブロックに分類される。画像データの撮影動作を実行する撮影制御回路６０を中心とするブロック、外部との間で画像データの送信・受信を実行する無線送信回路７１、無線受信回路７２を中心とするブロック、画像データを記憶・保存するメモリカード１０４のブロック、画像データおよびその関連情報の表示を実行する画面制御回路９２を中心とするブロック、操作キー６５等のユーザーインターフェースと各制御回路に対する統括制御を行うＣＰＵ５０を中心とするブロックである。
【００２１】
なお撮影バッファメモリ５９、フレームメモリ６９は画像データの撮影、表示を効率的に行うために設置されたバッファメモリであって、後述のメモリカード１０４より高速にデータの読み出しおよび書き込みが可能な揮発性バッファメモリ（ＤＲＡＭ、ＳＲＡＭ）である。撮影バッファメモリ５９、フレームメモリ６９はそれぞれ撮影制御回路６０、画面制御回路９２と直結するとともに、データ／制御バス５１を介してメモリカード１０４に繋がっている。
【００２２】
ＣＰＵ５０（中央処理ユニット）は電子カメラ１００全体の制御を行う手段であって、操作キー６５、タッチタブレット６６、電源スイッチ１７、タイマ７４、測光回路１３、ＧＰＳ回路６１、姿勢変化検出回路６２からの入力情報に応じて撮影制御回路６０、無線送信回路７１、無線受信回路７２、画面制御回路６９、電源制御回路６４への各種指示を行う。
【００２３】
測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２４】
ＣＰＵ５０は撮影モードではレリーズボタン１５の操作に応じて撮影制御回路６０を介し撮影動作を制御する。またＣＰＵ５０は測光データに基づき被写体が暗い場合には、撮影時にストロボ駆動回路７３を介しストロボ１２を発光させる。
【００２５】
ＧＰＳ回路６１（グローバルポジショニングシステム回路）は、地球の周りを周回している複数の衛星からの情報を用いて電子カメラ１００の位置情報を検出し、ＣＰＵ５０に供給する。画像撮影時には、ＣＰＵ５０はこの位置情報あるいは加工した位置情報（場所名、地名等）をメモリカード１０４に画像データとともに転送して記憶させる。
【００２６】
姿勢変化検出回路６２は、電子カメラ１００の姿勢変化を検出するために周知の姿勢センサなどから構成され、直前の撮影から今回の撮影までの姿勢変化量の情報をＣＰＵ５０に供給する。姿勢変化情報に基づき直前の撮影と今回の撮影との間に構図変更が行われた否かを判断することができる。ＣＰＵ５０はこの姿勢変化情報をメモリカード１０４に画像データとともに転送して記憶させる。
【００２７】
タイマ７４は時計回路を内蔵し、現在の時刻に対応する時間情報をＣＰＵ５０に供給する。ＣＰＵ５０は撮影時の時刻情報をメモリカード１０４に画像データとともに転送して記憶させる。
ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な送信先情報等を記憶している。
【００２８】
ＣＰＵ５０は、電源スイッチ１７の操作状態を検知して、電源制御回路６４を介して電源６３の制御を行う。
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。
【００２９】
アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）は画像処理部５７でサンプリングした画像信号をデジタル化することによりデジタルデータに変換し、撮影バッファメモリ６０は該デジタルデータを一旦格納する。
【００３０】
撮影モードにおいては、撮影制御回路６０は上述の動作を繰り返すとともに、画面制御回路９２は撮影バッファメモリ６０に順次格納されるデジタルデータをデータ／制御バス５１を介して読み出してフレームメモリ６９に一旦格納し、該デジタルデータを表示用画像データに変換してフレームメモリ６９に再格納し、該表示用画像データを左画面２１に表示させるという動作を繰り返す。また画面制御回路９２は設定されている撮影データの情報を撮影制御回路６０、ＣＰＵ５０から入手し、表示用テキストデータに変換してフレームメモリ６９に格納し、該表示用テキストデータを右画面２２に表示させる。このようにして撮影モードにおいては、左画面２１にＣＣＤ５０により撮像されている画像がリアルタイムに表示されるので、このスルー画面をモニター画面として使用して撮影のための構図設定を行うことが可能になる。
【００３１】
撮影制御回路６０は撮影バッファメモリ６０に格納したデジタルデータの高周波成分の度合い解析して撮影レンズ１０の焦点調節状態を検出し、検出結果に応じてレンズ駆動回路５２により撮影レンズ１０の焦点調節を行う。
撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成し、該画像データを撮影バッファメモリ５９に再格納する。撮影制御回路６０は撮影バッファメモリ５９に再格納した画像データに後述の付加情報データを添付して画像ファイルとしてメモリカード１０４に格納する。
【００３２】
再生モードにおいては、画面制御回路９２はメモリカード１０４からＣＰＵ５０に指示された画像ファイル（画像データと付加情報データ）を読み出してフレームメモリ６９に一旦格納し、該画像データと付加情報データを表示用画像データと表示用テキストデータに変換してフレームメモリ６９に再格納し、該表示用画像データを左画面２１に表示し、該表示用テキストデータを右画面２２に表示する。
【００３３】
再生モードにおいて無線送信回路７１はＣＰＵ５０から送信指示を受けると、指定された画像ファイル（画像データと付加情報データ）をメモリカード１０４から読み出して、該画像データと付加情報データを外部に無線送信出力する。
無線受信回路７２は外部からの送信要求を受信すると、外部から画像データと付加情報データを受信し、該画像データと付加情報データを画像ファイルとしてメモリカード１０４に格納する。
【００３４】
図５〜図８はメモリカード１０４内に保存される画像データのデータ構成を示す。図５に示すように画像データと付加情報データのセットから画像ファイルが構成される。付加情報データは画像データに関する情報を記録したデータであり、図６に示すように画像データの属性情報データと画像データを撮影した際の撮影情報データからなる。
【００３５】
属性情報データは、図７に示すように画像ファイル名（他の画像ファイルとの識別を行うために自動または手動により付けられる）、画像グループ名（連写またはブラケット撮影時に、一連の画像に共通して付けられる）、単独／一連識別情報（画像が単独撮影画像か一連撮影画像であるかを識別するための識別情報）、一般／代表識別情報（画像が一連撮影画像の場合、その画像が代表画像であるか一般画像であるかを識別するための識別情報）、撮影日時、撮影場所（緯度、経度、高度のデータからなる）、連写情報（単写／連写の識別、連写時に撮影順に付けられた連番）、露出ブラケット情報（露出ブラケットの有無、ブラケット撮影時の撮影順に付けられた連番）、姿勢情報（前回撮影からのカメラの姿勢変化量）、カメラ識別情報（電子カメラ１００を他のカメラと識別するための識別情報）、撮影者識別情報（手動または自動により入力される撮影者の識別情報）、被写体識別情報（手動または自動により入力される被写体の識別情報）、キーワード情報（手動または自動により入力されるキーワード情報）である。なお露出ブラケット撮影は図２〜図４には不図示の設定手段により設定され、露出変化段数や撮影枚数が手動または自動により設定される。
【００３６】
撮影情報データは、図８に示すように電子カメラ１００の撮影時の各種設定情報が格納される。ここで露出は適正露光量からの補正段数、ピントはオートフォーカスで定めた適正焦点位置からのピント補正量（＋が前ピン）、ストロボ光量は適正発光量からの補正段数を表す。
【００３７】
図９は本発明の第１の実施形態による画像再生方法の説明図である。Ｐ１〜Ｐ１１（Ｐ１が最新撮影画像であり、以下撮影時間順に番号が付けられている）は画像を表す。またＰ１〜Ｐ３、Ｐ９〜Ｐ１１は単独撮影画像を表し、Ｐ４〜Ｐ８は連写や露出ブラケットによる一連撮影画像を表す。電子カメラ１００にはスキップボタン（詳細ボタン２５、戻りボタン２７）が設けられとともに、電子カメラ１００が再生モードに設定されると、電子カメラ１００は最新画像Ｐ１を再生表示する。以下下方向ボタン２４の操作により駒送りを行い、Ｐ２、Ｐ３、Ｐ４、Ｐ５、Ｐ６、Ｐ７、Ｐ８、Ｐ９、Ｐ１０、Ｐ１１の順（撮影時間が古くなる方向）に再生表示する。また上方向ボタン２３の操作により反対方向（撮影時間が新しくなる方向）に駒送り再生を行う。一連撮影画像（Ｐ４〜Ｐ８）が再生表示されている時に、前記スキップボタン（詳細ボタン２５）を操作すると撮影時間が新しくなる方向に一連撮影画像をスキップして次の画像を再生表示し、前記スキップボタン（戻りボタン２７）を操作すると撮影時間が古くなる方向に一連撮影画像をスキップして次の画像を再生表示する。例えば画像Ｐ４を再生中に、スキップボタン（戻りボタン２７）を操作するとＰ５〜Ｐ８をスキップしてＰ９が再生表示され、また画像Ｐ８を再生中にスキップボタン（詳細ボタン２５）を操作するとＰ７〜Ｐ４をスキップしてＰ３が再生表示される。
【００３８】
図１０は上述した第１実施形態における電子カメラ１００の動作を説明する状態遷移図である。まず電源スイッチ１７を操作すると電源ＯＮによりＳ１の撮影モードに入り、Ｓ１０で図１１に示すように左画面２１にスルー画面を表示し、右画面２２に電子カメラ１００の撮影設定情報を表示する。Ｓ１の撮影モードにおいてレリーズボタン１６を操作（全押し）するとＳ１１のレリーズ割込処理が起動し、その時設定されている撮影設定状態（単写／連写、露出ブラケット撮影）に応じて画像を撮像し、画像データと付加情報データをメモリカード１０４に保存する。連写の場合にはレリーズボタン１６を開放にするまで撮影を継続し、一連の撮影画像がメモリカード１０４に格納される。また露出ブラケット撮影時は、予め定められた枚数の画像が露出を変化させて撮影され、メモリカード１０４に格納される。Ｓ１１のレリーズ割込処理が終了すると、Ｓ１０のスルー画面表示処理に戻る。
【００３９】
Ｓ１の撮影モードにおいて撮影／再生ボタン２８を操作するとＳ２の再生モードに移行し、Ｓ３０の再生表示処理でメモリカード１０４に記録された画像を方向ボタン２３、２４に応じて１枚ずつ左画面２１にフル画面で再生表示する。この再生表示処理ではＳ３００のようにスキップボタン（詳細ボタン２５、戻りボタン２７）を操作することにより一連撮影画像の再生をスキップすることができる。図１２は再生表示処理における単独撮影画像の再生表示例であり、左画面２１に画像を再生表示し、右画面２２に操作説明をテキスト表示する。図１３は再生表示処理における一連撮影画像に含まれる画像の再生表示例であり、左画面２１に画像を再生表示するとともに、一連撮影画像である旨をテキストでスーパーインポーズ表示し、右画面２２に一連撮影画像である旨と操作説明をテキスト表示する。またＳ２の再生モードにおいて撮影／再生ボタン２８を操作するとＳ１の撮影モードに移行する。
【００４０】
なおＳ２の再生モードにおいて送信ボタン２６を操作すると、Ｓ２９の画像送信処理が起動し、その時左画面２１に再生表示されている画像が外部に送信される。またノーマル再生表示処理で代表画像が再生表示されている場合は、一連撮影画像全てが外部に送信される。画像の送信先は手動または自動にて送信前に設定される。
【００４１】
図１４は本発明の第２の実施形態による画像再生方法の説明図である。Ｐ１〜Ｐ１１（Ｐ１が最新撮影画像であり、以下撮影時間順に番号が付けられている）は画像を表す。またＰ１〜Ｐ３、Ｐ９〜Ｐ１１は単独撮影画像を表し、Ｐ４〜Ｐ８は連写や露出ブラケットによる一連撮影画像を表す。電子カメラ１００が再生モードに設定されると、電子カメラ１００は最新画像Ｐ１を再生表示する。以下下方向ボタン２４の操作により駒送りを行い、Ｐ２、Ｐ３、Ｐ６、Ｐ９、Ｐ１０、Ｐ１１の順（撮影時間が古くなる方向）に再生表示する。また上方向ボタン２３の操作により反対方向（撮影時間が新しくなる方向）に駒送り再生を行う。この段階の再生駒送り操作においては一連撮影画像（Ｐ４〜Ｐ８）については代表画像Ｐ６のみが再生表示される。一連撮影画像（Ｐ４〜Ｐ８）を全て再生表示したい場合は、画像Ｐ６を再生している状態で詳細ボタン２５を操作すると画像Ｐ４が再生表示され、以下下方向ボタン２４の操作により駒送りを行い、Ｐ４、Ｐ５、Ｐ６、Ｐ７、Ｐ８、Ｐ４・・の順に再生表示し、また上方向ボタン２３の操作により反対方向に駒送り再生を行う。この段階での方向ボタン２３、２４の操作による駒送りでは代表画像Ｐ６に関連する一連撮影画像（Ｐ４〜Ｐ８）のみが再生表示される。一連撮影画像Ｐ４〜Ｐ８のいずれかを再生中に戻りボタン２７を操作すると、代表画像Ｐ６の再生表示に戻り、以降方向ボタン２３、２４の操作による駒送りでは単独撮影画像および代表画像のみが再生表示される。
【００４２】
図１５は上述した第２実施形態における電子カメラ１００の動作を説明する状態遷移図である。図１５において撮影モード（Ｓ１）の処理と再生モード（Ｓ２）の画像送信処理（Ｓ２９）は図１０と同じ処理なので説明を省略する。
Ｓ１の撮影モードにおいて撮影／再生ボタン２８を操作するとＳ２の再生モードに移行し、Ｓ２０のノーマル再生表示処理でメモリカード１０４に記録された画像を方向ボタン２３、２４に応じて再生表示する。ノーマル再生表示処理では一連撮影画像は代表画像のみを再生表示することが可能である。図１６はノーマル再生表示処理における一連撮影画像の代表画像の再生表示例であり、左画面２１に代表画像を再生表示するとともに、一連撮影画像である旨をテキストでスーパーインポーズ表示し、右画面２２に一連撮影画像である旨と操作説明をテキスト表示する。なお図１６において“一連画像：代表画像ｎｏ３／４”とあるのは、この画像が４枚一組の一連撮影画像の３番目に撮影された画像であり、この画像が一連撮影画像の代表画像であることを示している。
【００４３】
Ｓ２０のノーマル再生表示処理において一連撮影画像の代表画像を再生表示している時に詳細ボタン２５を操作すると、該代表画像が含まれる一連撮影画像を再生表示するＳ２１の詳細再生表示処理に移行する。詳細再生表示処理においては方向ボタン２３、２４に応じて一連撮影画像をフル画面で再生表示する。図１７は詳細再生表示処理における一連撮影画像の再生表示例であり、一連撮影画像の１つを左画面２１に再生表示し、右画面２２に操作説明をテキスト表示する。なお図１７において“一連画像：一般画像ｎｏ１／４”とあるのは、この画像が４枚一組の一連撮影画像の１番目に撮影された画像であり、この画像が一連撮影画像の一般画像であることを示している。Ｓ２１の詳細再生表示処理において一連撮影画像の１つを再生表示している時に戻りボタン２７を操作すると、Ｓ２０のノーマル再生表示処理に戻る。Ｓ２の再生モードにおいて撮影／再生ボタン２８を操作するとＳ１の撮影モードに移行する。
【００４４】
図１８は本発明の第３の実施形態を説明するための状態遷移図であって、第２の実施形態では詳細再生表示処理において一連撮影画像を再生表示する際に、一連撮影画像を方向ボタン２３、２４により順次再生表示しているが、第３の実施形態ではまず一連撮影画像を１画面に複数サムネイル表示し、該サムネイル表示された複数の画像の中から１つの画像を選択して再生表示する。
【００４５】
図１８において撮影モード（Ｓ１）の処理と再生モード（Ｓ２）のノーマル再生表示処理（Ｓ２０）および画像送信処理（Ｓ２９）は図１０と同じ処理なので説明を省略する。Ｓ２０のノーマル再生表示処理において一連撮影画像の代表画像を図１９に示すように再生表示している時に詳細ボタン２５を操作すると、該代表画像が含まれる一連撮影画像をサムネイル表示するＳ２２のサムネイル再生表示処理に移行する。なお図１９において“一連画像：代表画像ｎｏ３／４”とあるのは、この画像が４枚一組の一連撮影画像の３番目に撮影された画像であり、この画像が一連撮影画像の代表画像であることを示している。図２０はＳ２２のサムネイル再生表示処理におけるサムネイル画像の表示例であり、左画面２１に一連撮影画像がサムネイル表示され、右画面２２にサムネイル画像に対する操作説明をテキスト表示する。ここで左画面２１に表示されている複数のサムネイル画像の中から１つをタッチタブレット６６により選択（図２０ではＮｏ１の画像が選択された場合を示す）すると、Ｓ２３の選択再生表示処理に移行し、図２１に示すように左画面２１に選択された画像をフル画面で表示し、右画面２２に左画面２１に再生されている画像に対する操作説明をテキスト表示する。この状態では方向ボタン２３、２４の操作に応じて順次一連撮影画像を再生表示する。Ｓ２３の選択再生表示処理において一連撮影画像の１つを再生表示している時に戻りボタン２７を操作すると、Ｓ２１のサムネイル再生表示処理に戻る。またＳ２２のサムネイル再生表示処理においてサムネイル画像を再生表示している時に戻りボタン２７を操作すると、Ｓ２０のノーマル再生表示処理に戻る。
【００４６】
図２２は本発明の第４の実施形態を説明するための説明図であって、第２の実施形態または第３の実施形態ではＳ２０のノーマル再生表示処理において一連撮影画像を再生表示する際に、一連撮影画像の代表画像のみを再生表示しているが、第４の実施形態では代表画像を再生表示する代わりに図２２に示すように一連撮影画像（Ｐ４〜Ｐ８）を一定時間毎に自動的に切り換えて順次再生表示する。再生表示の順番は連続撮影の場合は撮影順（撮影時刻順）でもよいし、露出ブラケット撮影の場合には露出補正量の順（例えば露出補正量の最小値から最大値まで）でもよい。このように自動切り換え再生表示が行われている時に詳細ボタン２５を操作すると、図１５のＳ２１の詳細再生表示処理または図１８のＳ２２のサムネイル再生表示処理に移行する。図１５のＳ２１の詳細再生表示処理に移行する場合には、詳細ボタン２５が操作された時に自動再生表示されていた画像が、左画面２１に再生表示される。
【００４７】
図２３は本発明の第５の実施形態による画像再生方法の説明図である。Ｐ１〜Ｐ１１（Ｐ１が最新撮影画像であり、以下撮影時間順に番号が付けられている）は画像を表す。またＰ１〜Ｐ３、Ｐ８〜Ｐ１１は単独撮影画像を表し、Ｐ４〜Ｐ７は連写や露出ブラケットによる一連撮影画像を表す。電子カメラ１００が再生モードに設定されると、電子カメラ１００は最新画像Ｐ１を再生表示する。以下下方向ボタン２４の操作により駒送りを行い、Ｐ２、Ｐ３、（Ｐ４＋Ｐ５＋Ｐ６＋Ｐ７）、Ｐ８、Ｐ９、Ｐ１０、Ｐ１１の順（撮影時間が古くなる方向）に再生表示する。ここで（Ｐ４＋Ｐ５＋Ｐ６＋Ｐ７）は一連撮影画像を１画面にサムネイル表示したものを表す。また上方向ボタン２３の操作により反対方向（撮影時間が新しくなる方向）に駒送り再生を行う。この第１段階の再生駒送り操作においては一連撮影画像についてはサムネイル画像のみが再生表示される。サムネイル画像の中から所望の画像をタッチタブレット６６で選択すると、所望の画像が詳細再生表示され、以後方向ボタン２３、２４の操作に応じて一連撮影画像Ｐ４〜Ｐ７を順次再生表示する。また戻りボタン２７を操作すると第１段階の再生表示に戻り、一連撮影画像Ｐ４〜Ｐ７のサムネイル画像が再生表示される。
【００４８】
図２４は上記第５の実施形態の動作を説明するための状態遷移図であって、撮影モード（Ｓ１）の処理と再生モード（Ｓ２）の画像送信処理（Ｓ２９）は図１０と同じ処理なので説明を省略する。Ｓ２７の混合再生表示処理において単独撮影画像は一画面に一画像で再生表示され、一連撮影画像は一画面にサムネイル表示される。図２５はＳ２７の混合再生表示処理における一連撮影画像のサムネイル画像の表示例であり、左画面２１に一連撮影画像がサムネイル表示され、右画面２２にサムネイル画像に対する操作説明をテキスト表示する。ここで左画面２１に表示されている複数のサムネイル画像の中から１つをタッチタブレット６６により選択（図２５ではＮｏ１の画像が選択された場合を示す）すると、Ｓ２８の選択再生表示処理に移行し、図２６に示すように左画面２１に選択された画像をフル画面で表示し、右画面２２に左画面２１に再生されている画像に対する操作説明をテキスト表示する。以後方向ボタン２３、２４の操作に応じて一連撮影画像が順次再生表示される。Ｓ２８の選択再生表示処理において選択された画像を再生表示している時に戻りボタン２７を操作すると、Ｓ２７の混合再生表示処理に戻る。
【００４９】
図２７は本発明の第６の実施形態を説明するための状態遷移図であって、第２の実施形態ではノーマル再生表示処理においてフル画面の画像を順次再生表示しているが、第６の実施形態ではまず画像を１画面に複数サムネイル表示し、該サムネイル表示された複数の画像の中から１つの画像を選択してフル画面で再生表示する。
【００５０】
図２７において撮影モード（Ｓ１）の処理と再生モード（Ｓ２）の画像送信処理（Ｓ２９）は図１０と同じ処理なので説明を省略する。Ｓ１の撮影モードにおいて撮影／再生ボタン２８を操作するとＳ２の再生モードに移行し、Ｓ２４の全画像サムネイル再生表示処理で図２８に示すように全ての単独撮影画像と一連撮影画像の代表画像を左画面２１にサムネイル表示し、右画面２２にサムネイル画像に対する操作説明をテキスト表示する。ここで左画面２１に表示されている複数のサムネイル画像の中から１つをタッチタブレット６６により選択すると、選択された画像が単独撮影画像の場合にはＳ２６の選択再生表示処理に移行し、図２９に示すように左画面２１に選択された単独撮影画像をフル画面で表示し、右画面２２に左画面２１に再生されている画像に対する操作説明をテキスト表示する。この時戻りボタン２７を操作すると、Ｓ２４の全画像サムネイル再生表示処理に戻る。
【００５１】
またＳ２４の全画像サムネイル再生表示処理で、一連撮影画像の代表画像を選択すると、該代表画像が含まれる一連撮影画像をサムネイル表示するＳ２５のサムネイル再生表示処理に移行する。図３０はＳ２５のサムネイル再生表示処理におけるサムネイル画像の表示例であり、左画面２１に一連撮影画像がサムネイル表示され、右画面２２にサムネイル画像に対する操作説明をテキスト表示する。ここで左画面２１に表示されている複数のサムネイル画像の中から１つをタッチタブレット６６により選択（図３０ではＮｏ１の画像が選択された場合を示す）すると、Ｓ３１の選択再生表示処理に移行し、図３１に示すように左画面２１に選択された画像をフル画面で表示し、右画面２２に左画面２１に再生されている画像に対する操作説明をテキスト表示する。以後方向ボタン２３、２４の操作に応じて、順次一連撮影画像を再生表示する。
【００５２】
またＳ３１の選択再生表示処理において一連撮影画像の１つを再生表示している時に戻りボタン２７を操作すると、Ｓ２５のサムネイル再生表示処理に戻る。またＳ２５のサムネイル再生表示処理において一連撮影画像のサムネイル画像を再生表示している時に戻りボタン２７を操作すると、Ｓ２４の全画像サムネイル再生表示処理に戻る。
【００５３】
図３４は本発明の第７の実施形態における画像の表示例である。第７の実施形態においては、左画面２１にフル画面の画像を表示し、右画面２２に画像のサムネイル画像を表示する。詳細ボタン２５を押すと左画面２１が主、右画面２２が従となり、方向ボタン２３、２４の操作に応じて左画面２１に表示された画像が順次切り換えられて表示される。右画面２２には左画面２１に表示された画像とその画像の前後の順番に左画面２１に表示すべき画像をサムネイル表示することにより、方向ボタン２３、２４の操作に応じて左画面２１に次にどのような画像が表示されるかをユーザーが参照できるようにする。
【００５４】
戻りボタン２７を押すと右画面２２が主、左画面２１が従となり、方向ボタン２３、２４の操作に応じて右画面２２に表示されたサムネイル画像が順次スクロール表示される。左画面２１にはサムネイル表示された画像の１つの画像がフル画面で表示される。
【００５５】
また左画面２１が主の場合でも右画面２２が主の場合でも、右画面２２に表示されたサムネイル画像の一つをタッチタブレット６６で選択すると、選択された画像が左画面２１にフル画面で表示される。
上記第１の実施形態においては、再生モードの第１段階の画像再生において単独撮影画像および一連撮影画像を一画面に一画像として表示するので、最初から高品質の画像鑑賞ができるとともに、必要に応じて一連撮影画像をスキップできるので、多くの駒送り操作なし一連画像を飛ばして短時間に所望の画像を探して再生表示させることができる。
【００５６】
上記第２の実施形態においては、再生モードの第１段階の画像再生（ノーマル再生表示処理）において、方向ボタン操作に応じて単独撮影画像と一連撮影画像の代表画像のみを再生表示しており、詳細ボタンを操作した場合のみ第２段階の画像再生（詳細再生表示処理）により一連撮影画像の全ての画像を再生表示可能している。これにより第１段階の画像再生では一連撮影画像に含まれる全ての画像を再生表示させる手間が不要になり、画像全体を一通り再生表示して見て目的の画像のあたりをつけるといった処理を短時間に効率良く行うことができるとともに、一連撮影画像については、その撮影内容を代表画像により判別できるので、必要に応じて一連撮影画像に含まれる画像の確認を簡単な操作で行うこともできる。特に画像を外部の画像データベースより通信回線を介して読み出して再生表示するような場合には、不必要な一連撮影画像までも全部読み出して再生表示する必要がなくなるので、画像探索の時間を短縮し、通信料金も節約することができる。
【００５７】
また第２段階の詳細再生表示処理においては、一連撮影画像に含まれる画像のみを方向ボタンに応じてサイクリックに再生表示するので、一連撮影画像を繰り返し見直すのに都合がよい。
また一連撮影画像の代表画像を再生表示する際に、一連撮影画像である旨を画像にオーバラップして表示するので、効率よく一連撮影画像の識別ができるとともに、一連撮影画像に含まれる画像の総数と、該代表画像が何番目に撮影された画像かを表示するので、一連撮影画像の詳細を確認する必要があるか否かの判断を容易に行うことができる。
【００５８】
また左画面２１に表示される画像を切り換えるために操作される方向ボタン２３、２４は電子カメラ１００の背面左側に近接して配置されている。このためユーザーは片手のみで駒送り操作ができ、携帯での使用が容易になる。
上記第３の実施形態においては、再生モードの第１段階の画像再生（ノーマル再生表示処理）から第２段階の画像再生（サムネイル再生表示処理）を経て、第３段階の画像再生（選択再生表示処理）で一連撮影画像を再生表示可能している。これにより第２段階の画像再生では一連撮影画像に含まれる複数の画像を一度にひとつの画面で確認することができるので、目的に合った画像を他の画像と比較して選択することが可能になり、短時間で所望の画像を再生表示させることが可能になる。
【００５９】
また第３段階の選択再生表示処理においては、一連撮影画像に含まれる画像のみを方向ボタンに応じてサイクリックに再生表示するので、一連撮影画像を繰り返し見直すのに都合がよい。
上記第４の実施形態においては、再生モードの第１段階の画像再生において一連撮影画像を自動的に切り換えて再生表示するので、ユーザーは一連撮影画像を駒送りする操作が不要となるとともに、一連撮影画像の内容を簡単に確認することができ、必要に応じて第２段階の詳細再生表示に移行することができる。
【００６０】
上記第５の実施形態においては、再生モードの第１段階の画像再生において単独撮影画像は一画面に一画像を表示し、一連撮影画像についてはサムネイル表示するので、画像の駒送りの手間を省くことができるとともに、第１段階の再生表示でも一連撮影画像の全体概要を確認することができる。
【００６１】
また第２段階の詳細再生表示処理においては、一連撮影画像に含まれる画像のみを方向ボタンに応じてサイクリックに再生表示するので、一連撮影画像を繰り返し見直すのに都合がよい。
上記第６の実施形態においては、再生モードの第１段階の画像再生において単独撮影画像と一連撮影画像の代表画像をサムネイル表示し、タッチタブレット６６により詳細再生表示させる画像を選択するので、第１段階で順次フル画面で画像を再生表示させる場合に比較して短時間に所望の画像を捜し出して再生表示させることができる。
【００６２】
また第１段階の画像再生においては、一連撮影画像の代表画像のみをサムネイル表示させるので、一画面により多くのサムネイル画像を表示することができ、画像選択の効率が向上する。
上記第７の実施形態においては、画像再生のための画面を２つ設け、それぞれの画面にフル画面の画像とサムネイル画像を同時に再生表示させ、フル画面の画像を一枚ずつめくりながら順次再生表示して画像検索するモードと、サムネイル画像をスクロールしながら画像検索するモードを操作部材の操作により切り換えて選択することができるので、必要に応じて詳細な検索と大まかな検索を瞬時に切り換えることができる。またフル画面画像とサムネイル画像を同時に表示するので、詳細検索時にも前後画像の様子や大まかな検索時にも詳細な画像を手間なく参照することができ、画像検索時の情報量が増え、画像検索がやりやすくなる。
【００６３】
また画面が１つしかない場合は、サムネイル画面の表示とフル画面の表示をその都度切り換えて所望の画像を探さなければならないが、サムネイル画面の表示とフル画面の表示が同時に閲覧できるので、サムネイル画像をその都度消すことなく、サムネイル画面で次々と指定した画像を詳細表示して閲覧することができ、画像検索の効率が向上する。
（変形形態の説明）本発明は以上説明した実施形態に限定されることなく、種々の変形や変更が可能である。
【００６４】
上記第１の実施形態において、方向ボタン２３、２４を操作することにより画像を順次再生表示させているが、一連撮影画像の再生表示については自動的に順次再生表示するようにしてもよい。このようにすれば、互いに関連性の薄い単独撮影画像については手動操作に基づいてじっくりと順次再生表示できるとともに、互いに関連性の高い一連撮影画像については余計な手間なしに自動で順次再生することができる。
【００６５】
上記第１の実施形態において方向ボタン２３、２４の操作に応じて単独撮影画像と一連撮影画像を撮影時刻順に再生表示しているが、他の電子カメラから画像を受信した場合には一連撮影画像の最初と最後の撮影時刻の間に受信した画像の撮影時刻が割り込んでいるため、駒送り再生時に唐突に無関係な画像が表示されてしまう危険性があるので、このような場合には一連撮影画像以外の画像は一連撮影画像の直前または直後の順番で再生を行う。
【００６６】
上記第１の実施形態において方向ボタン２３、２４の操作に応じて単独撮影画像と一連撮影画像を撮影時刻順に再生表示しているが、再生表示の順番は必ずしもこれに限られたものではない。例えば画像情報の再生回数や再生頻度（画像が撮影されてから現在までの時間で再生回数を割った値）や累計再生時間を検出して画像情報毎に記録しておいて、再生回数の多い順や再生頻度が高い順や累計再生時間の長い順に再生表示するようにしてもよい。このようにすれば所望の画像情報を探索する時間を短縮できる。
【００６７】
上記第２実施形態の第１段階の再生表示において、単独撮影画像の全てと一連撮影画像の代表画像を方向ボタン２３、２４の操作に応じて順次再生表示しているが、単独撮影画像についても手動設定でひとまとめのグループにして、第１段階の再生表示において代表画像のみを再生表示し、第２段階の再生表示において代表画像を含む単独撮影画像を全て再生表示するようにしてもよい。図３３はこのような画像再生方法の説明図である。Ｐ１〜Ｐ１１（Ｐ１が最新撮影画像であり、以下撮影時間順に番号が付けられている）は画像を表す。またＰ１〜Ｐ３、Ｐ９〜Ｐ１１は単独撮影画像を表し、Ｐ４〜Ｐ８は連写や露出ブラケットによる一連撮影画像を表し、その代表画像がＰ６である。また単独撮影画像Ｐ１〜Ｐ３、Ｐ９〜Ｐ１１の代表画像がＰ１、Ｐ１０である。
【００６８】
電子カメラ１００が再生モードに設定されると、電子カメラ１００は最新の代表画像Ｐ１を再生表示する。以下下方向ボタン２４の操作により駒送りを行い、Ｐ６、Ｐ１０の順（撮影時間が古くなる方向）に代表画像のみを再生表示する。また上方向ボタン２３の操作により反対方向（撮影時間が新しくなる方向）に駒送り再生を行う。単独撮影画像（Ｐ１〜Ｐ３、Ｐ９〜Ｐ１１）や一連撮影画像（Ｐ４〜Ｐ８）を全て再生表示したい場合は、代表画像Ｐ１、Ｐ６、Ｐ１０を再生している状態で詳細ボタン２５を操作する。するとその時再生されている代表画像Ｐ１、Ｐ６、Ｐ１０に応じて、画像Ｐ１、Ｐ４、Ｐ９がフル画面で再生表示される。更に方向ボタン２３、２４の操作により駒送りを行い、Ｐ１〜Ｐ３またはＰ４〜Ｐ８またはＰ９〜Ｐ１１がサイクリックに順次再生表示される。この第２段階での再生表示中に戻りボタン２７を操作すると、第１段階での再生表示に戻り代表画像Ｐ１、Ｐ６、Ｐ１０を再生表示する。
【００６９】
このようにすれば単独撮影画像が多い場合でも、第１段階での再生表示における代表画像の再生表示により所望画像のありかの見当を付けてから、第２段階での再生表示で詳細に所望画像の検索を行うことができる。
なお単独撮影画像のグルーピングの方法としては、ユーザーが意味的な定義づけ（ストーリーに即した画像など）することにより作成された複数の画像からなる画像グループを一連撮影画像とすることもできる。
【００７０】
上記第２実施形態や第３実施形態等の第１段階の再生表示において、一連撮影画像の代表画像を１画像のみ再生表示しているが、一連撮影画像の総数より少ない画像を再生表示するようにしても本発明の効果を達成することができる。
上記第２実施形態や第３実施形態等の第１段階の再生表示において、一連撮影画像の代表画像は手動で設定するようにしてもいいし、自動で設定するようにしてもよい。手動で設定することにより、一連撮影画像の内容を適切に把握できる代表画像を設定することができる。自動設定の場合は、撮影順に応じて一番最初に撮影した画像や、真ん中あたりの順番に撮影した画像を代表画像に設定したり、露出ブラケット撮影の場合は、カメラが適正露出と判定した画像を代表画像に設定することができる。また露出ブラケット撮影した画像を上方向ボタン２３と下方向ボタン２４に応じて再生する場合には、撮影時間順によらずに露出量の多い順または少ない順に表示すれば、ユーザーにとって分かりやすい。
【００７１】
上記第２実施形態や第３実施形態等の第１段階の再生表示において、一連撮影画像の代表画像にスーパーインポーズして一連撮影画像であることを識別するためのテキストを表示しているが、一連撮影画像であることを識別するためのアイコンをスーパーインポーズするようにしてもよい。
【００７２】
上記第２実施形態や第３実施形態等において一連撮影画像を連続撮影画像または露出ブラケット撮影画像として説明を行ったが、これ以外の一連撮影画像であっても構わない。例えば焦点距離を異ならせて一連の画像を撮影するズームブラケット撮影、撮影時に被写体を照明するストロボの光量を変更して一連の画像を撮影するストロボブラケット撮影、撮影時の撮影レンズの撮影距離を異ならせて一連の画像を撮影するフォーカスブラケット撮影、撮影時の露光量を一定にして絞り大きさと露出時間の組み合わせを異ならせて一連の画像を撮影するプログラムブラケット撮影、所定時間間隔毎に一連の画像を撮影するインターバル撮影、カメラの撮影方向を少しずつ異ならせて一連の画像を撮影するパノラマ撮影等複数の画像が相互に関連を持つ画像であればよい。また姿勢変化検出回路６２により時間的に連続する撮影間の姿勢変化が少ない場合には、それらの画像を自動的に一連の画像として設定するようにしてもよい。またＧＰＳ回路６１により検出した撮影位置が互いに近接している画像を自動的に一連の画像として設定するようにしてもよい。例えば撮影位置が１００ｍ以内の画像は一連撮影画像とする。またタイマ７４により検出された撮影時刻により、撮影時刻が近接している画像を自動的に一連の画像として設定するようにしてもよい。例えば同一日付の画像、同一日付の１０時から１２時の間に撮った画像を一連撮影画像とする。また撮影後に画像解析（類似画像か否かを解析）し、類似度が所定範囲以内のものを一連撮影画像とすることもできる。また他の電子カメラ等から受信した画像については、撮影した電子カメラの識別番号や送信元の情報に基づいて一連撮影画像を定義してもよい。例えば同じ送信元から受信した画像を一連撮影画像として定義する。
【００７３】
以上のように関連する複数の画像を１つのグループにまとめておき、このグループを含む画像を再生表示する際に本発明を適用することにより、本発明による効果（上記述べたような効率的な再生表示）を享受することができる。また自動的に一連撮影画像を設定することにより手間なく階層的な画像表示ができ、膨大な画像を再生表示して検索する場合でも、効率的に所望の画像を捜し出すことが可能になる。
【００７４】
上記第５実施形態の第１段階の再生表示において、単独撮影画像の全てと一連撮影画像のサムネイル画像を方向ボタン２３、２４の操作に応じて順次再生表示しているが、単独撮影画像についてもユーザーの定義により複数の画像をひとまとめのグループにして、第１段階の再生表示において１つのグループに属する単独撮影画像をサムネイル画像として再生表示し、第２段階の再生表示においてグループに属する単独撮影画像を方向ボタン２３、２４の操作に応じて順次再生表示するようにしてもよい。
【００７５】
図３４はこのような画像再生方法の説明図である。Ｐ１〜Ｐ１１（Ｐ１が最新撮影画像であり、以下撮影時間順に番号が付けられている）は画像を表す。またＰ１〜Ｐ３、Ｐ８〜Ｐ１１は単独撮影画像を表し、Ｐ４〜Ｐ７は連写や露出ブラケットによる一連撮影画像を表している。また単独撮影画像Ｐ１〜Ｐ３までが一つのグループを形成し、Ｐ９〜Ｐ１１までがもう一つのグループを形成する。
【００７６】
電子カメラ１００が再生モードに設定されると、電子カメラ１００はＰ１〜Ｐ３のサムネイル画像を再生表示する。以下下方向ボタン２４の操作により駒送りを行い、一連撮影画像Ｐ４〜Ｐ７のサムネイル画像、単独撮影画像Ｐ８〜Ｐ１１のサムネイル画像の順（撮影時間が古くなる方向）に再生表示する。また上方向ボタン２３の操作により反対方向（撮影時間が新しくなる方向）にサムネイル画像を駒送り再生する。単独撮影画像（Ｐ１〜Ｐ３、Ｐ８〜Ｐ１１）や一連撮影画像（Ｐ４〜Ｐ７）をフル画面で再生表示したい場合は、その画像のサムネイル画像が再生している状態でその画像をタッチタブレット６６で操作する。するとタッチタブレット６６で指定された画像がフル画面で再生表示され、以降方向ボタン２３、２４の操作により駒送りを行い、一つのグループに属する画像（Ｐ１〜Ｐ３、Ｐ４〜Ｐ７、Ｐ９〜Ｐ１１）がサイクリックに順次再生表示される。この第２段階での再生表示中に戻りボタン２７を操作すると第１段階での再生表示に戻る。
【００７７】
このようにすれば単独撮影画像が多い場合でも、第１段階での再生表示におけるサムネイル画像の再生表示により所望画像のありかを迅速に検索してから、第２段階での再生表示でフル画面で所望画像の閲覧を行うことができる。また第２段階の再生表示では１つのグループに属する画像のみがサイクリックに順次表示されるので、知らないうちにグループ外の画像領域に迷い込んでしまうことがない。
【００７８】
上記第６実施形態の第１段階の再生表示において、単独撮影画像の全てと一連撮影画像の代表画像をサムネイル表示しているが、単独撮影画像についてもユーザー定義により複数の画像をひとまとめのグループにするとともに、そのグループの代表画像を定め、第１段階のサムネイル表示において代表画像のみを再生表示するようにしてもよい。代表画像をタッチタブレット６６により選択すると、その代表画像が属するグループに属する単独撮影画像または一連撮影画像をサムネイル表示する。そのサムネイル画像の表示から更に所望の画像をタッチタブレット６６により選択すると、所望の画像がフル画面で表示され、以降方向ボタン２３、２４の操作に応じて、その画像が属するグループの画像や一連撮影画像がサイクリックに順次再生表示される。また戻りボタン２７の操作に応じて、一つのグループの画像または一連撮影画像のサムネイル画像表示画面に戻り、更に戻りボタン２７を操作すると第１段階での代表画像のサムネイル画像表示画面に戻る。
【００７９】
このようにすれば単独撮影画像が多い場合でも、第１段階での代表画像のサムネイル表示により所望画像のありかの見当を付けてから、第２段階でのサムネイル画像表示で迅速に所望画像の検索を行うことができる。
上記第７実施形態において、方向ボタン２３、２４が左画面２１に表示される画像を切り換える操作部材と右画面２２に表示されるサムネイル画像をスクロールする操作部材を兼用しているが、独立した別々の操作部材を設けても良い。
【００８０】
また方向ボタン２３、２４の操作に応じて右画面２２に表示されるサムネイル画像がスクロールされる際に、左画面２１に表示される画像はスクロール動作に連動して切り換わらなくてもよい。
上記実施形態において、詳細ボタン２５、戻りボタン２７は駒送り操作を行う方向ボタン２３、２４とは別途に設置しているが、方向ボタン２３、２４の操作形態によって詳細ボタン２５、戻りボタン２７の機能を達成するようにしてもよい。例えば駒送り機能は方向ボタン２３、２４の単純なクリック操作により行い、詳細ボタン２５、戻りボタン２７の機能は方向ボタン２３、２４のダブルクリック操作により達成する。このようにすれば、ユーザーは駒送りのため方向ボタン２３、２４から指を動かすことなく詳細ボタン２５、戻りボタン２７の動作を行うことができるとともに、小型化が要求される携帯型の画像再生装置において、操作部材を少なくすることができるので、その配置スペースの分だけ表示画面を大きくしたり、他の操作部材を使いやすい形状や大きさにしたり、装置自体を小型化することができる。
【００８１】
上記実施形態において、再生モードにおいてサムネイル表示された連写画像の中から所望の画像を選択するのにタッチタブレット６６が使用されているが、それ以外の操作部材として例えばトラックボールのようなものを使用しても良い。上記実施形態において、電子カメラ１００において画像再生を行うものとして説明したが、再生専用の携帯画像再生装置やパソコンなどの画像再生装置にも本発明を応用できることはいうまでもない。
【００８２】
また画像再生時に電子カメラ１００に装着されたメモリカード１０４に保存記憶された画像を再生表示しているが、外部の画像データベース１５０に保存記憶された画像を通信回線経由で読み出して再生表示するようにしても構わないし、外部の画像データベース１５０に保存記憶された画像と装着されたメモリカード１０４に保存記憶された画像の両方を使用して画像再生を行うようにしてもよい。
【００８３】
上記実施形態において、無線送信回路７１および無線受信回路７２により外部との間で画像データの送受信を行っているが、必ずしも無線である必要はなく有線の通信であってもよい。
上記実施形態において、撮影した画像や受信した画像を電子カメラ１００に対し取り外し可能な携帯型のメモリカード１０４に格納しているが、電子カメラ１００に組み込まれた不揮発性の内蔵メモリ（フラッシュメモリなど）に画像を格納するようにしてもよい。このようにすれば、メモリカード１０４の装着機構が不要となるので、電子カメラ１００をよりコンパクトにし、携帯性を向上させることができる。
【００８４】
上記実施形態において、左画面２１および右画面２２をＬＣＤにより構成しているが、自己発光型の有機ＥＬ（エレクトロルミネッセント）表示デバイス等他の表示デバイスを用いることもできる。
上記実施形態において、左画面２１に画像情報を表示し、右画面２２にデータ情報を表示しているが、画面を１つにするとともに、データ情報を画像情報の上にスーパーインポーズ表示（重畳した表示）するようにしても構わない。
【００８５】
例えば左画面２１に表示されている画像情報にデータ情報をスーパーインポーズする際には、データ情報表示のサイズを本画像のサイズより小さく（本画像の視認性を確保するために、画面の１／４程度以下のサイズが望ましい）するとともに、データ情報表示を画面の周辺（本画像の視認性を確保するために、略四角形の画面の４隅の１つが望ましい）に配置する。
【００８６】
またＣＰＵ５０が表示されている画像情報を画像解析することにより、データ情報を表示する最適な位置（本画像の鑑賞を妨げないような位置）を選択して、該選択した位置にデータ情報をスーパーインポーズ表示するようにしてもよい。例えば画像情報の中で比較的輝度変化（コントラスト変化）の少ない領域（空等の背景である頻度が高い領域）を選択することにより、データ情報のスーパーインポーズ表示による本画像の視認性の低下を防止することができる。またスーパーインポーズするデータ情報を目立たせるために、選択した領域が比較的高輝度の領域であった場合は、データ情報を黒のテキストで表示し、選択した領域が比較的低輝度の領域であった場合は、データ情報を白のテキストで表示するようにしてもよい。また選択した領域の色相を検出し、該色相に対して目立つ色相でデータ情報をスーパーインポーズ表示するようにしてもよい。また本画像に対するデータ情報の識別を明確にするために、本画像がカラーであった場合にはデータ情報を白黒で表示したり、データ情報の表示部分を枠で囲って表示するようにしてもよい。また画像解析により画像情報の中の人物または顔部分（主要被写体である可能性が高い部分）を抽出し、該人物または顔の部分以外の領域にデータ情報をスーパーインポーズ表示するようにしてもよい。
【００８７】
また本画像の鑑賞の邪魔にならないように、上記データ情報のスーパーインポーズ表示を、データ情報の表示を開始してから所定時間（〜５秒程度以内）で消すようにしてもよい。
またデータ情報は必ずしも本画像と重畳する必要はなく、同一画面内で本画像と同時に本画像より小さなサイズで画面周辺の位置に表示するようにすればよい。
【００８８】
このようにすれば、本画像の鑑賞を著しく損なうことなく、データ情報を本画像の重要度が低い領域に視認性よくスーパーインポーズ表示することができる。またＬＣＤ（液晶表示画面）を１つに統一できるため、電子カメラ１００をコンパクトにできるとともに、価格を低く抑えることができる。
【００８９】
【発明の効果】
以上説明したように、本発明による画像再生装置および画像再生方法においては、他の画像情報との関連性を持たない単独画像情報と画像情報同士が互いに関連性を持つ複数の画像情報からなる一連画像情報を混在して順次１画像ずつ再生表示する際に、一連画像情報の再生表示を所定操作に応じてスキップさせることにより、一連画像情報の再生表示にかかる手間や時間を省略することができ、画像閲覧の効率化をはかることができる。
【００９０】
また他の画像情報との関連性を持たない単独画像情報と画像情報同士が互いに関連性を持つ複数の画像情報からなる一連画像情報を混在して再生表示する際、第１段階の再生表示では一連画像情報を代表画像情報により代表して再生表示させ、第２段階の再生表示において一連画像情報だけを再生表示させるようにしたので、一連画像情報の再生表示にかかる手間や時間を省略することができ、画像閲覧の効率化をはかることができるとともに、一連画像情報のみを他の画像情報から隔離して表示することができ、関連する画像のみを紛れなく確実に閲覧することができる。
【００９１】
また他の画像情報との関連性を持たない単独画像情報と画像情報同士が互いに関連性を持つ複数の画像情報からなる一連画像情報を混在して再生表示する際、第１段階の再生表示では単独撮影画像はフル画面で再生表示するとともに、一連画像情報をサムネイル画像で再生表示させ、第２段階の再生表示において一連画像情報だけをフル画面で再生表示させるようにしたので、一連画像情報の再生表示にかかる手間や時間を省略することができ、画像閲覧の効率化をはかることができるとともに、一連画像情報のみを他の画像情報から隔離して表示することができ、関連する画像のみを紛れなく確実に閲覧することができる。
【００９２】
また２つの画面を備え、一方の画面には画像情報をフル画面で再生表示させ、もう一方の画面には複数の画像情報のサムネイル画像を再生表示させるとともに、２つの画面に表示させる画像情報を互いに連携させるようにしたので、画面切り換えの手間がなくなるとともに、フル画面の画像とサムネイル画像を同時に閲覧しながら画像検索を行えるので、ユーザーが画像イメージを記憶しながら閲覧する必要もなく、画像の取り違え等の誤操作を防止でき、確実な画像検索が可能になる。
【００９３】
また本発明を画像情報の記憶手段から画像情報の表示手段へ通信回線を介して画像情報を伝送して表示させるシステムに適用する場合には、上記画像探索の使い勝手を向上させるだけでなく、通信時間の短縮や通信料金の低下をはかることができる。
【図面の簡単な説明】
【図１】本発明の実施形態のシステム構成を示す概念図である。
【図２】本発明による電子カメラの一実施形態の外観図（正面視）である。
【図３】本発明による電子カメラの一実施形態の外観図（背面視）である。
【図４】本発明による電子カメラの一実施形態の電気構成を示すブロック図である。
【図５】画像ファイルの構成図である。
【図６】付加情報データの構成図である。
【図７】属性情報データの構成図である。
【図８】撮影情報データの構成図である。
【図９】第１実施形態の再生表示の説明図である。
【図１０】第１実施形態の動作の状態遷移図である。
【図１１】第１実施形態の再生表示例である。
【図１２】第１実施形態の再生表示例である。
【図１３】第１実施形態の再生表示例である。
【図１４】第２実施形態の再生表示の説明図である。
【図１５】第２実施形態の動作の状態遷移図である。
【図１６】第２実施形態の再生表示例である。
【図１７】第２実施形態の再生表示例である。
【図１８】第３実施形態の動作の状態遷移図である。
【図１９】第３実施形態の再生表示例である。
【図２０】第３実施形態の再生表示例である。
【図２１】第３実施形態の再生表示例である。
【図２２】第４実施形態の再生表示の説明図である。
【図２３】第５実施形態の再生表示の説明図である。
【図２４】第５実施形態の動作の状態遷移図である。
【図２５】第５実施形態の再生表示例である。
【図２６】第５実施形態の再生表示例である。
【図２７】第６実施形態の動作の状態遷移図である。
【図２８】第６実施形態の再生表示例である。
【図２９】第６実施形態の再生表示例である。
【図３０】第６実施形態の再生表示例である。
【図３１】第６実施形態の再生表示例である。
【図３２】第７実施形態の再生表示例である。
【図３３】第２実施形態の変形形態の再生表示の説明図である。
【図３４】第５実施形態の変形形態の再生表示の説明図である。
【図３５】従来の再生表示の説明図である。
【符号の説明】
１０  撮影レンズ
１６  レリーズボタン
１７  電源スイッチ
１９  モードダイヤル
２１  左ＬＣＤ（左画面）
２２  右ＬＣＤ（右画面）
２３  上方向ボタン
２４  下方向ボタン
２５  詳細ボタン
２６  送信ボタン
２７  戻りボタン
２８  撮影／再生ボタン
５０  ＣＰＵ
５１  データ／制御バス
５５  ＣＣＤ
６０  撮影制御回路
６３  電源
６９  フレームメモリ
７１  無線送信回路
７２  無線受信回路
９２  画面制御回路
１００  電子カメラ
１０４  メモリカード
【図１】
0004706159.tif 000002
【図２】
0004706159.tif 000003
【図３】
0004706159.tif 000004
【図４】
0004706159.tif 000005
【図５】
0004706159.tif 000006
【図６】
0004706159.tif 000007
【図７】
0004706159.tif 000008
【図８】
0004706159.tif 000009
【図９】
0004706159.tif 000010
【図１０】
0004706159.tif 000011
【図１１】
0004706159.tif 000012
【図１２】
0004706159.tif 000013
【図１３】
0004706159.tif 000014
【図１４】
0004706159.tif 000015
【図１５】
0004706159.tif 000016
【図１６】
0004706159.tif 000017
【図１７】
0004706159.tif 000018
【図１８】
0004706159.tif 000019
【図１９】
0004706159.tif 000020
【図２０】
0004706159.tif 000021
【図２１】
0004706159.tif 000022
【図２２】
0004706159.tif 000023
【図２３】
0004706159.tif 000024
【図２４】
0004706159.tif 000025
【図２５】
0004706159.tif 000026
【図２６】
0004706159.tif 000027
【図２７】
0004706159.tif 000028
【図２８】
0004706159.tif 000029
【図２９】
0004706159.tif 000030
【図３０】
0004706159.tif 000031
【図３１】
0004706159.tif 000032
【図３２】
0004706159.tif 000033
【図３３】
0004706159.tif 000034
【図３４】
0004706159.tif 000035
【図３５】
0004706159.tif 000036